(57)【要約】  本発明は、カラーフィルタ基板及びその製造方法、表示パネル及び表示装置に関する。カラーフィルタ基板は、複数の画素領域を有し、ベース基板１０と、カラーレジスト層２０と、ブラックマトリックス４と、突出部６と、を含む。カラーレジスト層２０は、ベース基板１０の上に設置され、アレイ状に配列された複数のカラーレジスト１、２、３を含み、複数のカラーレジスト１、２、３は、それぞれ複数の画素領域に一対一に対応し、カラーレジスト１、２、３は、いずれも長辺を有し、隣接する２つのカラーレジスト１、２、３は、少なくとも長辺が重畳しない。ブラックマトリックス４は、任意の隣接するカラーレジスト１、２、３の間に設置されている。突出部６は、ブラックマトリックス１、２、３の少なくとも一部に設置され、且つ、カラーレジスト１、２、３の少なくとも一部を囲むように配置される。ここで、突出部６におけるベース基板１０から離れる表面は、突出部に近接するカラーレジスト１、２、３おけるベース基板１０から離れる表面を超えない。
2021513665.tif 000002
【特許請求の範囲】
【請求項１】
複数の画素領域を有するカラーフィルタ基板であって、
ベース基板と、
前記ベース基板に設置され、アレイ状に配列された複数のカラーレジストを含み、前記複数のカラーレジストがそれぞれ前記複数の画素領域に一対一に対応し、前記複数のカラーレジストがいずれも長辺を有し、隣接する２つの前記カラーレジストは、少なくとも長辺が重畳しないカラーレジスト層と、
任意の隣接するカラーレジストの間に設置されているブラックマトリックスと、
前記ブラックマトリックスの少なくとも一部に、前記カラーレジストの少なくとも一部を囲むように配置される突出部と、を含み、
前記突出部における前記ベース基板から離れる表面は、前記突出部に近接するカラーレジストにおける前記ベース基板から離れる表面を超えない
ことを特徴とするカラーフィルタ基板。
【請求項２】
前記複数のカラーレジストは、
赤色カラーレジストと、緑色カラーレジストと、青色カラーレジストとを含み、
前記突出部は、同じ色の２つのカラーレジストの間の前記ブラックマトリックスに設置され、異なる色の２つのカラーレジストの間の前記ブラックマトリックスに設置されない
ことを特徴とする請求項１に記載のカラーフィルタ基板。
【請求項３】
前記突出部の断面の形状は、
矩形、円形、楕円形のうちの１種又は複数種を含む
ことを特徴とする請求項１又は２に記載のカラーフィルタ基板。
【請求項４】
前記突出部の幅ｄ１の範囲は、０≦ｄ１≦２／３ｄ２を満たし、前記ｄ２は、隣接する２つの前記カラーレジストの間の最大距離であり、
前記突出部は、前記ブラックマトリックスの中心に設置される
ことを特徴とする請求項１又は２に記載のカラーフィルタ基板。
【請求項５】
前記突出部は、離隔して設置された複数の突起を含む
ことを特徴とする請求項１又は２に記載のカラーフィルタ基板。
【請求項６】
前記複数の突起のうちの隣接する２つの突起の間のピッチは、同一であり、それとも完全に同一ではない
ことを特徴とする請求項５に記載のカラーフィルタ基板。
【請求項７】
前記カラーレジストは、２つの短辺と２つの長辺とを有する矩形を成し、
前記カラーレジストの一方の短辺に近接する突出部が、第１突出部であり、他方の短辺及び２つの長辺に近接する突出部が、第２突出部であり、
前記第１突出部の形状は、前記第２突出部の形状と異なる
ことを特徴とする請求項５に記載のカラーフィルタ基板。
【請求項８】
前記第１突出部の厚さは、前記第２突出部の厚さ以上である
ことを特徴とする請求項７に記載のカラーフィルタ基板。
【請求項９】
前記第１突出部は、複数の突起を含み、
前記第１突出部の複数の突起の形状は、矩形、円形及び楕円形のうちの２種であり、
前記第２突出部は、複数の突起を含み、
前記第２突出部の複数の突起の形状は、矩形である
ことを特徴とする請求項７に記載のカラーフィルタ基板。
【請求項１０】
前記第１突出部は、異なる厚さを有する複数の突起を含む
ことを特徴とする請求項７に記載のカラーフィルタ基板。
【請求項１１】
表示パネルであって、
アレイ基板と、
カラーフィルタ基板と、
前記アレイ基板と前記カラーフィルタ基板との間に位置する液晶層と、を含み、
前記カラーフィルタ基板は、請求項１から請求項１０のいずれか１項に記載のカラーフィルタ基板である
ことを特徴とする表示パネル。
【請求項１２】
前記カラーフィルタ基板におけるカラーレジストは、短辺を有する矩形を成し、
前記カラーレジストの短辺は、前記表示パネルにおけるスイッチングトランジスタの位置に対応している
ことを特徴とする請求項１１に記載の表示パネル。
【請求項１３】
請求項１１又は１２に記載の表示パネルを含む表示装置。
【請求項１４】
カラーフィルタ基板の製造方法であって、
ベース基板を用意するステップと、
前記ベース基板に、アレイ状に配列された複数のカラーレジストを含むカラーレジスト層を設置し、前記複数のカラーレジストがそれぞれカラーフィルタ基板の複数の画素領域に一対一に対応し、前記カラーレジストがいずれも長辺を有し、隣接する２つの前記カラーレジストは、少なくとも長辺が重畳しないステップと、
任意の隣接するカラーレジストの間にブラックマトリックスを設置するステップと、
前記ブラックマトリックスの少なくとも一部に突出部を設置し、前記突出部における前記ベース基板から離れる表面が、前記突出部に近接するカラーレジストにおける前記ベース基板から離れる表面を超えないようにするステップと、含む
ことを特徴とするカラーフィルタ基板の製造方法。
【発明の詳細な説明】
【技術分野】
【０００１】
本願は、２０１８年２月１２日に出願した出願番号が第２０１８２０２５４５６５．６号であって、発明名称が「カラーフィルタ基板、表示パネル及び表示装置」である中国特許出願に基づいて優先権を主張し、当該中国特許出願の内容の全てを本願に援用する。
【０００２】
本発明は、表示技術分野に関し、特に、カラーフィルタ基板、表示パネル及び表示装置に関する。
【背景技術】
【０００３】
薄膜トランジスタ液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ；ＴＦＴ−ＬＣＤ）は、表示パネルと、バックライト光源とを含む。一般的に、表示パネルは、アレイ基板と、カラーフィルタ基板と、これらの間に位置する液晶層と、を含む。
【０００４】
通常、カラーフィルタ基板を製造する場合、ベース基板の上にブラックマトリックス（Ｂｌａｃｋ  ｍａｔｒｉｘ）を製作し、その後、ブラックマトリックスが形成されているベース基板の上に、パターニングプロセスにより赤色カラーレジスト、緑色カラーレジスト及び青色カラーレジストを含むカラーレジスト層を形成する。
【０００５】
現在、隣接する赤色カラーレジスト、緑色カラーレジスト及び青色カラーレジストが互いに重畳しており、他の領域と比べて、この重畳領域には顕著な凸出部が存在しているので、表示パネルのセルギャップが均一ではないという問題がある。通常、カラーレジスト層の上に１層の平坦化層を製作することによって、前記セルギャップが均一ではない問題を解決する。しかしながら、重畳領域が隣接するサブ画素の間の非表示領域に位置しており、この位置にあるカラーレジスト層は液晶の表示に寄与しないが、これによるセルギャップへの影響を解除するために、別途の材料及びプロセスが必要となる。また、平坦化層を製造することによって、液晶の冗長量を制御することが困難になり、パネルの輝度むら（ｍｕｒａ）や低温気泡などの不良現象を起こりやすくなる。
【発明の概要】
【０００６】
カラーフィルタ基板であって、ベース基板と、前記ベース基板に設置され、アレイ状に配列された複数のカラーレジストを含み、前記複数のカラーレジストがそれぞれ前記複数の画素領域に一対一に対応し、前記複数のカラーレジストがいずれも長辺を有し、隣接する２つの前記カラーレジストは、少なくとも長辺が重畳しないカラーレジスト層と、任意の隣接するカラーレジストの間に設置されているブラックマトリックスと、前記ブラックマトリックスの少なくとも一部に前記カラーレジストの少なくとも一部を囲むように配置される突出部と、を含み、前記突出部における前記ベース基板から離れる表面は、前記突出部に近接するカラーレジストにおける前記ベース基板から離れる表面を超えないことを特徴とするカラーフィルタ基板、を提供する。
【０００７】
本発明の実施例の第１態様によれば、カラーフィルタ基板を提供する。前記カラーフィルタ基板は、複数の画素領域を有し、ベース基板、カラーレジスト層、ブラックマトリックス及び突出部を含む。カラーレジスト層は、ベース基板に設置され、アレイ状に配列された複数のカラーレジストを含み、前記複数のカラーレジストは、それぞれ前記複数の画素領域に一対一に対応し、前記カラーレジストは、いずれも長辺を有し、隣接する２つの前記カラーレジストは、少なくとも長辺が重畳しない。ブラックマトリックスは、任意の隣接するカラーレジストの間に設置されている。突出部は、少なくとも前記ブラックマトリックスの一部に設置され、且つ、少なくとも前記カラーレジストの一部を囲むように配置される。ここで、前記突出部におけるベース基板から離れる表面は、前記突出部に近接するカラーレジストにおけるベース基板から離れる表面を超えない。
【０００８】
本発明の一実施例によれば、前記複数のカラーレジストは、赤色カラーレジスト、緑色カラーレジスト及び青色カラーレジストを含む。前記突出部は、同じ色の２つのカラーレジストの間の前記ブラックマトリックスに設置されるが、異なる色の２つのカラーレジストの間の前記ブラックマトリックスには設置されない。
【０００９】
本発明の一実施例によれば、前記突出部の断面の形状は、矩形、円形、楕円形のうちの１種又は複数種を含む。
【００１０】
本発明の一実施例によれば、前記突出部の幅ｄ１の範囲は、０≦ｄ１≦２／３ｄ２を満たす。ここで、前記ｄ２は、隣接する２つの前記カラーレジストの間の最大距離であり、前記突出部は、前記ブラックマトリックスの中心に設置される。
【００１１】
本発明の一実施例によれば、前記突出部は、離隔して設置された複数の突起を含む。
【００１２】
本発明の一実施例によれば、前記複数の突起のうちの隣接する２つの突起の間のピッチは、同一であるか、又は完全に同一ではない。
【００１３】
本発明の一実施例によれば、前記カラーレジストは、２つの短辺と２つの長辺とを有する矩形を成す。前記カラーレジストの一方の短辺に近接する突出部が、第１突出部であり、他方の短辺及び２つの長辺に近接する突出部が、第２突出部である。前記第１突出部の形状は、前記第２突出部の形状と異なる。
【００１４】
本発明の一実施例によれば、前記第１突出部の厚さは、前記第２突出部の厚さ以上である。
【００１５】
本発明の一実施例によれば、前記第１突出部は、複数の突起を含む。前記第１突出部の複数の突起の形状は、矩形、円形、楕円形のうちの２種である。前記第２突出部は、複数の突起を含む。前記第２突出部の複数の突起の形状は、矩形である。
【００１６】
本発明の一実施例によれば、前記第１突出部は異なる厚さを有する複数の突起を含む。
【００１７】
本発明の実施例の第２態様によれば、表示パネルを提供する。前記表示パネルは、アレイ基板と、カラーフィルタ基板と、前記アレイ基板と前記カラーフィルタ基板との間に位置する液晶層と、を含み、前記カラーフィルタ基板は、上記のカラーフィルタ基板である。
【００１８】
本発明の一実施例によれば、前記カラーフィルタ基板におけるカラーレジストは、短辺を有する矩形を成す。前記カラーレジストの短辺は、前記表示パネルにおけるスイッチングトランジスタの位置に対応している。
【００１９】
本発明の実施例の第３態様によれば、さらに、上記の表示パネルを含む表示装置を提供する。
【００２０】
本発明の実施例の第４態様によれば、カラーフィルタ基板の製造方法を提供し、前記方法は、ベース基板を用意するステップと、ベース基板に、アレイ状に配列された複数のカラーレジストを含むカラーレジスト層を設置し、前記複数のカラーレジストのそれぞれがカラーフィルタ基板の前記複数の画素領域に一対一に対応し、前記カラーレジストがいずれも長辺を有し、隣接する２つの前記カラーレジストは、少なくとも長辺が重畳しないステップと、任意の隣接するカラーレジストの間にブラックマトリックスを設置するステップと、前記ブラックマトリックスの少なくとも一部に突出部が設置され、且つ、前記突出部におけるベース基板から離れる表面が、前記突出部に近接するカラーレジストにおける前記ベース基板から離れる表面を超えないステップと、含む。
【００２１】
本発明の実施例に提供された技術的手段によれば、以下のような技術効果が奏される。ブラックマトリックスの上に突出部が一部のカラーレジストの周囲を囲むように設置されることにより、セルギャップの均一性を維持するとともに液晶の冗長量を改善するという要求を満足し、これにより、製品の歩留まりを向上させる。
【図面の簡単な説明】
【００２２】
【図１】従来技術におけるカラーフィルタ基板の断面構造の模式図である。
【図２】本発明の一実施例に提供されるカラーフィルタ基板の断面図である。
【図３】図２の上面図である。
【図４】本発明の他の実施例に提供されるカラーフィルタ基板の断面図である。
【図５】図４の上面図である。
【図６】本発明の別の実施例に提供されるカラーフィルタ基板の上面図である。
【図７】本発明のまた別の実施例に提供されるカラーフィルタ基板の上面図である。
【図８】本発明のまた別の実施例に提供されるカラーフィルタ基板の上面図である。
【図９】本発明のさらに別の実施例に提供されるカラーフィルタ基板の上面図である。
【発明を実施するための形態】
【００２３】
以下、図面を参照しながら、例示的な実施形態をより全面的に説明する。ただし、例示的な実施形態は、多種の形態で実施することができるが、ここで記述する実施形態に限定されるものではない。本明細書において、例えば「上」や「下」などの相対的な用語は、図面に示された一つの構成と他の構成との間の相対的な関係を説明するために使用されるが、これらの用語は、単に便宜上のものであり、例えば、図面に示す例示の方向によるものである。図面に示す装置を反転させてその上下が逆になる場合、前記「上」に位置する構成が「下」に位置する構成になることを理解できる。例えば「頂」や「底」などの他の相対的な用語も同様の意味を持つ。ある一つの構造が他の構造の「上」に位置する場合、ある一つの構造が他の構造の上に一体的に形成されたり、ある一つの構造が他の構造の上に「直接的」に配置されたり、別の構造により他の構造に「間接的」に配置されたりすることを意味する可能性がある。
【００２４】
「１つ」、「一」、「当該」及び「前記」という用語は、１つ又は複数の要素／構成要素／などが存在していることを示すために使用されるものである。「含む」及び「備える」という用語は、開放式に含まれることを意味し、且つ、列挙された要素／構成要素以外の要素／構成要素／などをさらに含むことを意味し、「第１」、「第２」などという用語は、標記として用いられ、その対象の数を限定するものではない。
【００２５】
本発明の目的、技術的手段及び利点をより明確にするために、以下、図面を併せて本発明の実施形態をより詳細に説明する。
【００２６】
ＴＦＴ−ＬＣＤは、液晶表示パネル（以下、単に「表示パネル」と称する）と、バックライト光源と、を含む。ここで、液晶パネルは、アレイ基板と、カラーフィルタ基板と、前記アレイ基板と前記カラーフィルタ基板との間に位置する液晶層と、を含む。
【００２７】
図１は、本発明者らに知られているカラーフィルタ基板の断面構造の模式図である。通常、当該カラーフィルタ基板は、ベース基板１０の上に、例えばブラックマトリックス（Ｂｌａｃｋ  ｍａｔｒｉｘ）４などの反射又は光漏れを防止するための遮光層を製作し、その後、ブラックマトリックス４が形成されているベース基板１０の上にパターニングプロセスにより赤色カラーレジスト１、緑色カラーレジスト２及び青色カラーレジスト３を形成する。現在、隣接するサブ画素の間の非表示領域に対応するカラーレジストは重畳するように設計されている。均一なセルギャップに達するように平坦化するために、通常、平坦化層５を利用することにより、従来のカラーレジストのエッジの重なりによる表示パネルのセルギャップが均一ではないという問題を解決することができる。
【００２８】
しかしながら、カラーレジストのエッジの重なりは、液晶ディスプレイに寄与せず、また、平坦化層５の製作のような別途の材料及びプロセスを追加する必要がある。このように製作されたカラーフィルタ基板は、セルギャップが均一ではないという問題を解決することができるが、液晶の冗長量を制御することが困難になり、液晶が多すぎたり少なすぎたりすることによる表示不良が発生しやすくなるので、パネルの輝度むら（ｍｕｒａ）や低温気泡などの不良現象を起こりやすくなる。
【００２９】
上記の問題点を改善するために、本発明の実施例は、カラーフィルタ基板を提供する。前記カラーフィルタ基板は、ベース基板と、前記ベース基板に設置され、アレイ状に配列された複数のカラーレジストを含み、前記複数のカラーレジストのそれぞれが前記複数の画素領域に一対一に対応し、前記カラーレジストがいずれも長辺を有し、隣接する２つの前記カラーレジストは、少なくとも長辺が重畳しないカラーレジスト層と、任意の隣接するカラーレジストの間に設置されているブラックマトリックスと、前記ブラックマトリックスの少なくとも一部に設置され、且つ、前記カラーレジストの少なくとも一部を囲むように配置される突出部と、を含み、前記突出部における前記ベース基板から離れる表面は、前記突出部に近接するカラーレジストにおける前記ベース基板から離れる表面を超えない。
【００３０】
本発明のカラーフィルタ基板によれば、ブラックマトリックスの上に１つ又は複数の突出部を設置することによって、セルギャップの均一性を維持するとともに、突出部６の水平面がこれと隣接するカラーレジストの水平面を超えないので、液晶の冗長量を改善することで、表示パネルの歩留まりを確保できる。
【００３１】
以下、図面を併せて本発明に提供される前記カラーフィルタ基板を詳細に説明する。
【００３２】
図２及び図３を参照すると、図２は、本発明の一実施例に提供されるカラーフィルタ基板の断面図であり、図３は、図２の上面図である。本実施例のカラーフィルタ基板は、図２及び図３に示すように、ベース基板１０と、カラーレジスト層２０と、ブラックマトリックス４と、突出部６と、を含む。
【００３３】
ベース基板１０は、ガラスの材質又はポリメタクリル酸メチル（Ｐｏｌｙｍｅｔｈｙｌ  Ｍｅｔｈａｃｒｙｌａｔｅ；ＰＭＭＡ）などの透明材質からなるものであってもよいが、本発明の実施例は、これに対して限定しない。前記カラーレジストは、樹脂材料からなるものであってもよい。ここで、青色カラーレジストは、青色の樹脂材料からなり、赤色カラーレジストは、赤色の樹脂材料からなり、緑色カラーレジストは、緑色の樹脂材料からなる。
【００３４】
カラーレジスト層２０は、ベース基板１０の上に設置され、例えば、赤色カラーレジスト１、緑色カラーレジスト２、青色カラーレジスト３などのアレイ状に配列された複数のカラーレジストを含む。複数のカラーレジストは、それぞれカラーフィルタ基板の複数の画素領域に一対一に対応する。即ち、複数のカラーレジストは、それぞれ複数のピクセル領域に対向している。
【００３５】
各カラーレジストの形状は、いずれも必要に応じて設置され、様々なものであってもよい。カラーレジストは、図３に示すように、面取り角及びノッチを有する矩形であり、そして、いずれも少なくとも１つの長辺を有する。図３に示すカラーレジストは、２つの長辺と２つの短辺を有する。隣接する２つのカラーレジストの２つの長辺は重畳しない。即ち、両者は、重なり合わなく、ピッチがある。図３に示す本実施例において、隣接する２つのカラーレジストの短辺も重畳しない。隣接するカラーレジストの間は、同じ色のカラーレジスト及び異なる色のカラーレジストを含む。隣接するカラーレジストの間は、４つの辺がいずれも重畳しないこともでき、短辺が重畳してもよいが、少なくとも長辺が重畳しない。
【００３６】
ブラックマトリックス４は、任意の隣接するカラーレジストの間に設置される。
【００３７】
１つまたは複数の突出部６は、行及び／又は列の画素領域の間に位置するブラックマトリックス４の少なくとも一部に設置される。図３に示す本実施例において、すべてのブラックマトリックス４における同じ色を含むカラーレジストの間及び異なる色を含むカラーレジストの間には、突出部６が設置される。その他の実施例において、突出部６は、一部のブラックマトリックス４のみに設置され、他のブラックマトリックス４に設置されなくてもよい。
【００３８】
突出部６におけるベース基板１０から離れる表面は、突出部６に近接するカラーレジストにおけるベース基板１０から離れる表面を超えない。図２に示すように、突出部６の頂部の平面とこの突出部６に隣接する赤色カラーレジスト１又は緑色カラーレジスト２の頂部の平面との間には、段差Ｈがある。即ち、突出部６の頂部の平面は、赤色カラーレジスト１又は緑色カラーレジスト２の頂部の平面よりも低い。
【００３９】
図２に示すように、各カラーレジストの断面は、台形をなす。隣接する２つのカラーレジスト間のピッチは、最小距離から最大距離までの範囲で変化する。図２に示すように、隣接する緑色カラーレジスト２と青色カラーレジスト３との間の最大距離をｄ２とした場合、突出部６の幅ｄ１の範囲は０＜ｄ１≦２／３ｄ２を満たし、好ましい範囲は０＜ｄ１≦１／３ｄ２である。突出部６は、ブラックマトリックス４の中心に設置されてもよいが、その他の実施例においては、中心からずれた位置に設置されてもよい。
【００４０】
本実施例において、ブラックマトリックス４の上に突出部６が設置され、各突出部６の間の距離が等しいので、液晶の冗長量を改善し、液晶セル内の液晶が多すぎたり少なすぎたりすることによる表示不良を効果的に避けることができる。また、一定の距離で離隔した突出部６により、隣接する層の間の影響を低減させ、異なる画素の間の液晶乱れによる表示効果への影響が低減されるので、液晶の表示効果を改善するとともに、製品の歩留まりを向上させるという目的を達成する。
【００４１】
図４及び図５を参照すると、図４は、本発明の他の実施例に提供されるカラーフィルタ基板の断面図であり、図５は、図４の上面図である。本実施例のカラーフィルタ基板は、図４及び図５に示すように、ベース基板１０と、カラーレジスト層２０と、ブラックマトリックス４と、突出部６と、を含む。これが図２に示す実施例と相違するのは以下である。
【００４２】
カラーレジストの形状は、いずれも一角が欠けた矩形である。
【００４３】
異なる色のカラーレジストの間に突出部６が設置されずに、同じ色のカラーレジストの間に突出部６が設置されることができる。例えば、赤色カラーレジスト１と緑色カラーレジスト２との間、或いは緑色カラーレジスト２と青色カラーレジスト３との間には、突出部６が設置されずに、赤色カラーレジスト１と赤色カラーレジスト１との間、或いは緑色カラーレジスト２と緑色カラーレジスト２との間、或いは青色カラーレジスト３と青色カラーレジスト３との間には、突出部６が設置されることができる。
【００４４】
図４に示すカラーフィルタ基板の実施例のその他の構造は、図２に示すカラーフィルタ基板の実施例とほぼ同じであるので、ここでは、その説明を省略する。
【００４５】
本発明において、各ブラックマトリックス４における突出部６は、一体化された構造であっても良いが、間隔を置いて設置された複数の突起から構成されることもできる。突起は、円柱状や角柱状などの柱状構造を有することができる。即ち、突起の断面形状は、矩形などの多角形、円形又は楕円形を有してもよい。また、突出部６は、１種の形状の突起を含んだり、様々な異なる形状の突起を含むこともできる。複数の突起のうちの隣接する２つの突起の間のピッチは、同一であるか、それとも完全に同一ではなくてもよい。突出部６は、図３及び図５に示すように、等ピッチに設置された複数の矩形の突起を含む。突出部６は、図６に示すように、ピッチが異なる複数の矩形の突起を含む。
【００４６】
図７に示すように、突出部６の全体が矩形状であるので、突出部６とベース基板１０との接着力が良好になり、製品性能が向上される。一方、突出部６とこれに隣接するカラーレジストとの間に隙間が存在し、突出部６の頂部の平面がこれに隣接するカラーレジストの頂部の平面を超えないので、液晶の冗長量が改善されることで、表示パネルの歩留まりを確保することができる。
【００４７】
図８に示すように、一部の突出部６は、等ピッチに設置された矩形を成す複数の突起を含むが、他の一部の突出部６は、矩形を成す突起及び円形を成す突起の組み合わせを含む。図９に示すように、一部の突出部６は、等ピッチに設置された矩形を成す複数の突起を含むが、他の一部の突出部６は、円形を成す複数の突起の組み合わせを含む。
【００４８】
各カラーレジストは、図８及び図９に示すように、矩形に類似する形状を成し、２つの長辺及び２つの短辺を有する。各カラーレジストの周囲には、突出部６が設置されている。一方の短辺に隣接する突出部６は、第１突出部６１であり、他方の短辺及び２つの長辺に隣接する突出部６は、第２突出部６２である。第１突出部６１の形状は、第２突出部６２の形状と異なる。第１突出部６１は、図８に示すように、互いに離隔して設置された矩形を成す複数の突起と円形を成す複数の突起とを含む。また、２つの矩形を成す突起の間には、２つの円形を成す突起が設置されている。そして、第２突出部６２は、等ピッチに設置された矩形を成す複数の突起を含む。第１突出部６１は、図９に示すように、互いに離隔して設置された円形を成す複数の突起を含む。また、隣接する２つの突起の間のピッチが同一であるが、異なる場合もある。第２突出部６２は、等ピッチに設置された矩形を成す複数の突起を含む。
【００４９】
本実施例において、第１突出部６１の厚さは、第２突出部６２の厚さ以上である。ここで、厚さとは、突出部において、ブラックマトリックスに接触されている接触面とブラックマトリックスから離れる表面との間の距離を指す。第１突出部６１における複数の突起の厚さは異なる。勿論、他の実施例において、第１突出部６１における複数の突起の厚さは、同一であり、第１突出部６１の厚さは、第２突出部６２の厚さよりも小さくてもよい。
【００５０】
本発明は、カラーフィルタ基板の製造方法の実施例を提供する。前記方法は、ベース基板１０を用意するステップと、ベース基板１０に、アレイ状に配列される複数のカラーレジストを含むカラーレジスト層を設置し、複数のカラーレジストがそれぞれカラーフィルタ基板の複数の画素領域に一対一に対応し、各カラーレジストが長辺を有し、隣接する２つのカラーレジストは、少なくとも長辺が重畳しないステップと、任意の隣接するカラーレジストの間にブラックマトリックス４を設置するステップと、前記ブラックマトリックス４の少なくとも一部に、突出部６におけるベース基板１０から離れる表面が、突出部６に近接するカラーレジストにおけるベース基板１０から離れる表面を超えないように突出部６を設置するステップと、含む。
【００５１】
つまり、本発明の実施例に提供されるカラーフィルタ基板によれば、カラーレジストから分離した突出部のカラーフィルタのデザインを採用することにより、液晶の冗長量を改善し、液晶セル内の液晶が多すぎたり少なすぎたりすることによる表示不良を効果的に避けることができ、一定の距離を置いた突出部により、隣接する層の間の影響を低減し、異なる画素の間の液晶乱れによる表示効果への影響が低減されるので、液晶表示効果を改善するとともに、製品の歩留まりを向上させるという目的を達成する。
【００５２】
本発明の実施例は、表示パネルを提供する。上記表示パネルは、アレイ基板と、カラーフィルタ基板と、アレイ基板とカラーフィルタ基板との間に位置する液晶層と、を含む。前記カラーフィルタ基板は、本発明に記載されたカラーフィルタ基板である。
【００５３】
図８及び図９を参照すると、カラーフィルタ基板における複数のカラーレジストは、矩形であり且つ複数の画素領域に対応する。第１突出部６１がカラーレジストの１つの短辺に近接し、上記第１突出部６１とカラーレジストの上記短辺が、表示パネルのスイッチングトランジスタの位置に対応する。即ち、アレイ基板がカラーフィルタ基板とセルの組み立てをした後、第１突出部６１及びカラーレジストの上記短辺が、表示パネルのスイッチングトランジスタの位置に対向している。
【００５４】
具体的に実施する場合、本発明の実施例に提供されるディスプレイは、携帯電話、タブレットＰＣ、テレビ、ディスプレイ、ノート型パソコン、デジタルフォトフレーム、ナビゲータなどの表示機能を有する任意の製品又は部品であってもよい。
【００５５】
本発明は、その応用が本明細書に提出された部品の詳細な構造及び配置方式に限定されないことが理解されるべきである。本発明は、他の実施形態を有し、様々な実施形態により実現され実行することができる。上記の変形及び修正は、本発明の範囲内に含まれる。本明細書に説明及び限定される本発明は、本明細書及び／又は附図で言及され、又は明らかになった２つ又は２つ以上の独立した特徴のすべての置換可能な組み合わせにまで及ぶことが理解されるべきである。これらの異なる組み合わせは、いずれも本発明のいくつかの置換可能な態様を構成する。本明細書に記載の実施形態において、本発明を実現するための最も好ましい形態を説明し、且つ、当業者が本発明を利用することを可能にする。
【符号の説明】
【００５６】
１０  ベース基板
２０  カラーレジスト層
１  赤色カラーレジスト
２  緑色カラーレジスト
３  青色カラーレジスト
４  ブラックマトリックス
５  平坦化層
６  突出部
【図１】
2021513665.tif 000003
【図２】
2021513665.tif 000004
【図３】
2021513665.tif 000005
【図４】
2021513665.tif 000006
【図５】
2021513665.tif 000007
【図６】
2021513665.tif 000008
【図７】
2021513665.tif 000009
【図８】
2021513665.tif 000010
【図９】
2021513665.tif 000011
【国際調査報告】
2021513665.tif 000012
2021513665.tif 000013
2021513665.tif 000014
2021513665.tif 000015
2021513665.tif 000016
2021513665.tif 000017